(57)【要約】      （修正有）【課題】人が水洗トイレで排泄を行う際に必然的に起こる水はね、臭い、排泄時の音等を抑える泡の層を便器内のため水の水面上につくりだす製品を提供する。【解決手段】人が排泄前に便器内のため水に本発明品２を投入する。本発明品２は、アルカリ性物質と酸性物質と界面活性剤を含有した混合物が水に触れると化学反応を起こし、トイレ便器５内のため水の水面上に泡３の層を作るものである。その泡の層がクッションとなり排泄時の水はね等を防止するものである。【選択図】図１
2020020250.tif 000002
【特許請求の範囲】
【請求項１】
トイレため水の水面上に、トイレ排泄時の水はね汚れ及び排泄音を防ぐ効果のある泡の層を形成するために、アルカリ性物質と酸性物質と界面活性剤を含有した混合物で、排泄直前にトイレため水に投入して排泄時にトイレ水面上に泡の層を形成させる混合物を、トイレため水にそのまま投入しやすいよう当該混合物を、崩壊剤を添加させた水溶性素材で包装すること、または水溶性素材に塗布することを特徴とする、トイレ排泄時の水はね防止、防音を目的とするトイレ衛生用品。
【発明の詳細な説明】
【発明の詳細な説明】
【技術分野】
【０００１】この発明は、トイレ排泄時前に、便器内のため水に本発明品を投入して泡の層をつくりだし、排泄時における水はね防止、消臭、防音、洗浄、トイレ室内も汚れ等抑制に関する発明である。
【背景技術】
【０００２】従来、人が水洗トイレで排泄を行うには、便器のため水に向けて排泄を行う形になっていた。
【発明の概要】
【０００３】これには、次のような欠点があった。
便器のため水に排泄物を落下させるために、水はねが必然的に起こり、便器外に飛び散り、身体、衣服、床、壁などに付着し不衛生であった。またトイレため水に向けて排泄を行うため、排泄物の着水音、臭いが無防備に発生し、羞恥心を起こさせていた。
本発明は以上のような欠点をなくすためになされたものである。
【課題を解決するための手段】
【０００４】排泄直前に、本発明品をトイレため水にそのまま直接手で放り込むか、または容器に入れた本発明品を放り込むという形態である。本発明品は水に触れると先ず水溶性素材の包装物が水に溶け出す。そして内容物のアルカリ性物質と酸性物質と界面活性剤が水に触れると化学反応を起こし、トイレ水面上に泡の層を発生させるものである。またアルカリ性物質と酸性物質と界面活性剤を圧縮形成させたもの、もしくは界面活性剤を塗布した水溶性素材をそのまま投入し、泡の層を発生させるものである。水面上に約１〜１０ｃｍほどの泡の層をため水の水面上につくる。人はその泡の層に向けて排泄を行う。泡の層がクッションとなり排泄物の落下によるトイレため水の飛沫等を防ぐものである。
【発明の効果】
【０００５】便器のため水の水面上に、厚さ約１〜１０ｃｍほどの泡の層または水溶性素材を水面上に浮かべて張るため、排泄物の着水時の跳ね返り水が、それらによって便器外への飛び散りを防ぐことができる。よって、汚水の飛沫や防止されるため、身体、衣服、床、壁等への汚れや臭いが防げ、衛生的になる。また界面活性剤の泡の効果によってトイレ便器の洗浄効果も見込めるので便器やトイレ室内の掃除の頻度も減る。また排泄物の着水音を泡の層や水面上に浮遊した水溶性素材によって抑えることができる。
【発明を実施するための形態】
【０００６】以下、発明を実施するための形態について説明する。
（イ）アルカリ性の重曹等と酸性のクエン酸等を混ぜたものに水を加えると化学反応を起こし炭酸ガスつまり二酸化炭素を出すという性質を利用し、トイレ便器内のため水の水面上に泡の層を作る。
（ロ）その泡をすぐに消えないように界面活性剤を含有させることで発生した泡を持続可能にし、一つひとつの気泡を強化する。
（ハ）消毒液や石鹸などで利用されるカチオン性界面活性剤や両性界面活性剤を本発明品に含有させることにより、細菌を吸着し洗い流す効果も有する。
これを使用するときは、本発明品を排泄時前に直接便器内のため水に一度投入するだけでよい。本発明品は水に触れると自動的に化学反応を起こし泡の層が形成される。
【０００７】本発明品には、アルカリ性物質と酸性物質と界面活性剤、三つの物質を必要とする。排泄前に直接手に取って簡単にワンアクションでトイレため水に投入することが肝である。よってアルカリ性物質と酸性物質と界面活性剤だけを使って簡単に投入できるなら水溶紙、水に溶けるフィルム等を使用しないことも考えられる。その場合、アルカリ性物質と酸性物質と界面活性剤を圧縮形成することも考えられる。
例えば、アルカリ性物質と酸性物質だけが粉状またはジェル状または液体状またはフレーク状または板状にし、その周りをチューイングガムの糖衣がけのように界面活性剤でコーティングすることも考えられる。このことは上記三つの物質それぞれ入れ替えて作成することも考えられる。また、三つの物質を水溶性素材でコーティングすることも考えられる。
【０００８】アルカリ性物質と酸性物質と界面活性剤は、粉末状だけではなくジェル状または液体状またはペースト状などにすることも考えられる。それらを水溶紙または水に溶けるフィルムで包装、パッケージング、コーティングする。
【０００９】アルカリ性とは、正式には塩基性といい。アルカリ性とは塩基性の物質のうち、特に水に溶ける物質のことをいう。アルカリ性物質としては、例えば、水酸化ナトリウム、水酸化カリウム、水酸化カルシウム、水酸化バリウム、水酸化銅、水酸化アルミニウム、水酸化鉄、水酸化アンモニウム、炭酸アンモニウム、炭酸マグネシウム、炭酸塩、セスキ炭酸ソーダ、ベーキングパウダー、炭酸水素ナトリウムつまり重曹などである。重曹は、水質汚染で問題とされるＢＯＤ・ＣＯＤ値がなく、環境ホルモンも含まれていないため環境にやさしいとされる。また食品添加物としても使用できるくらい人体に対しても安全であると考えられている。
【００１０】酸性とは、化学において塩基と対になって働く物質のことで単純に言えば酢、梅干し、レモン、胃液のようなスッパイものが酸性であるといえる。有機酸または無機酸がある。酸性物質としては、例えば、ハロゲン化水素、ハロゲンオキソ酸、硫酸ナトリウム、フルオロスルホン酸、硝酸、リン酸、ヘキサフルオロアンチモン酸、クロム酸、ホウ酸、メタンスルホン酸、エタンスルホン酸、ベンゼンスルホン酸、ポリスチレンスルホン酸ナトリウム、カルボン酸、酢酸、クエン酸、ギ酸、グルコン酸、乳酸、シュウ酸、酒石酸カリウム、ビニル性カルボン酸、核酸、デオキシリボ核酸、リボ核酸、コハク酸、リンゴ酸、サリチル酸、グルコール酸、安息香酸、塩酸などが挙げられる。
【００１１】界面活性剤は界面に作用して界面の性質を変化させる物質として定められている。界面活性剤としての物質は、アニオン系、非イオン系、カチオン系、両性系、サポニンやたんぱく質の天然の界面活性能を有する物質などに分類される。例えば、脂肪酸塩つまり石鹸、スルホ脂肪酸エステル塩、アルキルベンゼンスルホン酸塩、直鎖アルキルベンゼンスルホン酸塩、アルキル硫酸塩、ラウレス‐４、ラウレス‐３硫酸アンモニウム、石鹸素地、グリセリン、アルキルエーテル硫酸エステル塩、ホホバ種子油、アルキル硫酸トリエタノールアミン、脂肪酸ジエタノールアミド、ポリオキシエチレンアルキルエーテル、ジアルキルジメチルアンモニウムクロリド、卵白、サボニン、アルキルカルボキシベタイン、ラウリン酸ナトリウム、ステアリン酸ナトリウム、ラウレス硫酸ナトリウム、ラウリル硫酸ナトリウム、パイン油、ユーカリ油、オレイン酸ナトリウム、ラウリルベタイン、ミリスチン酸ナトリウム、ショ糖エステルなどである。アニオン系、非イオン系、カチオン系、両性系などこれらを足したり引いたり掛け合わせたりして、併用して用いることも考えられる。
【００１２】他に発泡剤としては、ポリエチレングリコール、アルキルエーテル、ポリエキシエチレン、セチルエーテル、オクチル、フェニル、ポリオキシチレン、ソルビタン、モノオレイン酸塩、アルキル硫酸塩、ドデシル硫酸ナトリウム、アンモニアドデシル、スルホン酸塩などが考えられる。
【００１３】包装素材としては水溶性フィルム、水溶紙、水溶性不織布などがある。それらを単独または複数で用いることも考えられる。パウチ。包装素材である水溶性素材に穴を開ける、はり合わせる、混合配合する、練り混ぜる、継ぎ足すなどして組みあわせて包装素材とすることも考えられる。ラミネート加工することも考えられる。ヒートシールで製袋加工できるようにする。包装素材の表面に加工を施して水溶時間を調整することも考える。ロゴや製品名を印刷することも考えられる。
【００１４】袋状にするヒートシール接着剤について。水溶性合成接着剤として、アクリル酸、メタクリル酸、ビニルピロリドンなどの水溶性重合体、共重合体などがある。無機系の水溶性接着剤としては、石灰、ケイ酸塩、リン酸塩などがある。ポリビニルアルコールは代表的な合成水溶性接着剤ある。水性ビニルウレタン系、２−エトキシエチルアクリエート、アルキルアクリエート、ポリエチレングノニルフェニルエーテル、リコール天然物接着剤としてデンプンやにかわがある。
【００１５】水溶性素材としては、水溶紙や水溶性フィルムや不織布などがある。水溶性素材に崩壊剤を添加させて、トイレ水に投入後に水溶時間の調節を行う。冷水にも速やかに溶けるように調節する。崩壊剤は水溶性素材だけでなくアルカリ性物質と酸性物質と界面活性剤に添加させることも考えられる。
【００１６】水溶性素材だけをトイレ水面に浮かべる形態も考えられる。その場合、界面活性剤を用いても良いし、用いなくても良い。例えば水溶性素材をそのまままたは折り畳んで水に投入後、花びらのように開閉または広がる構造が考えられる。水溶性素材がトイレ水面に広がって、その浮遊した水溶性素材がトイレ使用時の飛沫を抑えるというしくみも考えられる。
【００１７】水分を吸収して崩れやすくする作用を有するものを崩壊剤という。崩壊剤の代表的なものとしてはデンプン、乳糖、でんぷんグリコール酸ナトリウム、クロスカルメロース、セルロース、炭酸塩、クロスポビドン、カルメロースカルシウムなどがある。
【００１８】水溶性素材に、アルカリ性物質と酸性物質と界面活性剤を塗布することも考えられる。その場合、アルカリ性物質と酸性物質と界面活性剤は単独または複数で用いることも考えられる。水溶性素材をシート状にして、界面活性剤を染み込ませる。塗布する。つまり味付け海苔のような形態にすることも考えられる。それらをトイレ使用直前にトイレ水面に浮かべるのである。
【００１９】アルカリ性物質と酸性物質と界面活性剤を圧縮プレスし、それを水溶性素材でコーティングすることもありである。また水溶性素材を袋状にするだけでなく、錠剤やカプセル状やコーティング剤として用いることも考えられる。アルカリ性物質と酸性物質と界面活性剤を、成型加工する。タブレット状または顆粒状にして、トイレ使用直前に適宜ひとつかみ投入するという形態も考えられる。また顆粒状にした発泡剤を適量容器に入れ、トイレ使用直前にトイレ水に投入する形態も考えられる。またスプレー式にしてトイレ直前にシュッシュッとトイレ水に投入する。またはエアゾールスプレーでシュ〜と投入することも考えられる。
【００２０】ロール状のトイレットペーパーにアルカリ性物質と酸性物質と界面活性剤を塗布することも形態も考えられる。界面活性剤だけをロール状のトイレットペーパーに塗布、添加、混合、練り込むすることも考えられる。トイレ使用直前、ロール状のトイレットペーパーを適当な長さでちぎり、トイレ水に投入する。クシャクシャに丸めて投入したりする。男性が小用を足す場合、水面に浮かんだ界面活性剤を含んだトイレットペーパーに向けて用を足すと、ブクブクと泡立つ。その泡とトイレットペーパーの弾力によって飛沫汚れを防ぐ。これはロール状のトイレットペーパーだけでなく、ボックスティッシュまたはポケットティッシュ等のようなものに置き換えることも考えられる。ボックスティッシュ等の場合、トイレ使用者は使用直前に適宜、数枚取ってトイレ水に投入する。ボックスティッシュにアルカリ性物質と酸性物質と界面活性剤を、または界面活性剤のみを塗布することも考えられる
【００２１】アルカリ性物質と酸性物質と界面活性剤を水溶性素材で包装する。アルカリ性物質と酸性物質と界面活性剤のそれぞれ自体に崩壊剤を混合することも想定する。潤沢剤や流動化剤やコーティング剤や賦形剤や分散剤を用いることも考えられる。
【００２２】水溶性フィルムの素材として代表的なものは、ポリビニルアルコール（ＰＶＡ）を原料としたものがある。ゼラチンなどで形成したカプセル等を使うことが考えられる。
フィルムの素材としては、ポリマー、コポリマー、ポリビニルアルコール、ポリビニルピロリドン、ポリアルキレンオキシド、アクリルアミド、アクリル酸、セルロース、セルロースエステル、セルロースアミド、ポリ酢酸ビニル、ポリカルボン酸、ポリアミノ酸又はペプチド、ポリアミド、ポリアクリルアミド、セルロースエーテル、マレイン酸／アクリル酸のコポリマー、デンプン、ゼラチンを包含するポリサッカライド、キサンタン及びカラゴムなどの天然ゴム、ポリマーは、ポリアクリレート、水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、プラスチック、ポリメタクリレート、ポリビニルアルコール、ポリビニルアルコールコポリマー及びヒドロキシプロピルメチルセルロース、プラスチック、ウレタン系、オブラート、プロビレングリコール、グリセリン、塩化マグネシウム、亜硫酸カリウム、エタノール、プロパンジオール、ホウ酸、ポリエリレンオキシド、ポリビニルピロリドン、ポリビニルメチルエーテル、ビニルメチルエーテル、無水マレイン酸などこれらを組み合わせることも考えられる。ポバールの皮膜に柔軟性を与えるためにグリセリンやトリエタノールを加えることも考えられる。これらを単独または複数組み合わせて用いることも想定している。本発明では、これらに崩壊剤を添加させることによって水溶時間の調節を行うことを可能とするものである。
【００２３】水溶紙や不織布とは別に、フィルムという名称について述べる。
フィルムという名称以外でビニールやナイロンやセロファンなど、フィルムと同義の名称があるが、本出願では名称のいかんを問わず、それらを総じてフィルムと呼ぶことにする。
【００２４】水溶紙はシークレットペーパーともいう。木材パルプという天然素材でできている。環境に対しても悪影響はない。アルカリ性物質と酸性物質と界面活性剤を水溶紙で包装する。水溶紙はトイレットペーパーよりも水によく溶ける。水に浸けるとたちまち溶解してバラバラな繊維になって分散する。水溶紙は、化学パルプを水酸化ナトリウムで処理してアルカリセルロースに変え、モノクロル酢酸を反応させてカルボキシメチルセルロースをつくり、これに化学パルプを混ぜて抄いた後、アルカリで処理して水に溶けやすくしたものである。水溶紙に崩壊剤を含有させることも想定している。カルボキシメチルセルロースと化学パルプの配合割合を加減することで溶解時間の調節することも可。水溶紙の表面にポリビニールなどの水溶性ポリマーを塗布することで溶解時間を調節する。ヒートシールで袋状にできる。ホットメルト接着をさせることもできる。
【００２５】本発明品のサイズは指でつまめる大きさ、手のひらに簡単に乗るくらいの大きさである。１回使い切り、破らずそのままトイレため水に投入する。トイレ使用後はそのまま流せるものである。環境人体に問題ないものを使用する。
【００２６】本発明品はトイレため水に投入すると水溶性物質の包装素材が数秒で水に溶けだし、内容物のアルカリ性物質と酸性物質と界面活性剤が水に触れると化学反応を起こし泡の層が形成される。
【００２７】泡の層は、小便の勢いとともに、ブクブクとさらに発達していく。小用時の水圧とともに気泡が大きくなったり、気泡が増加する。
【００２８】アルカリ性物質と酸性物質と界面活性剤は水に触れるだけで自動的に化学反応が起きてしまうので、携帯可能で投入しやすいように上記３つの物質だけで、例えば結合剤やアルコールなどを使って圧力を加えてプレスし、固めることも考えられる。つまり、簡単に指でつまめるくらいため水に投入するのが容易になるなら、水溶性素材で包装しないことも考えられる。
【００２９】本発明の目的や効果を阻害しない程度であれば、賦形剤、分散剤、崩壊剤、気泡剤、起泡剤、増粘安定剤、防腐剤、発泡増強剤、抗菌剤、殺菌剤、香料、消剤、酵素、色素、増粘多糖類、ゲル化剤、泡安定剤、アルコール、ＰＨ調整剤、泡調整剤、水軟化剤、分散剤、安定化剤、凍結防止剤等を含有することも考えられる。また防臭剤、洗浄剤なども本発明品に含有させて、におい、よごれを抑えることも考えられる。
【００３０】本発明の外見は、アルカリ性物質と酸性物質と界面活性剤を単独でまたは複数でパウチや袋状のもので包装することが主であるが、本発明の目的や効果を阻害しない範囲であるなら、他の形態も考えられる。たとえば、本発明品をスポンジ状、網状、メッシュ状、エアファイバー状、繊維状、霧状、羽毛状、布状、綿状、ジェル状、レーヨン、鰹節風状、ゼリー状、ネバネバ状、コットン状、ビーズ状、フレーク状、へちま状、いと麩状、ラスク状、スナック状、軽石状、セルライト状、はけ状、グミ状、糸状、棒状、シート状などにすることも考えられる。アルカリ性物質と酸性物質と界面活性剤を単独でまたは複数でそれらに添加等させることも想定している。
【００３１】本発明品はトイレため水の水面上に泡の層を形成し、水面を覆うものである。泡の層がクッションとなり、排せつ時の水はね等を抑える効果がある。この観点からすると界面活性剤のみを携帯可能で直接手に触れて投入しやすいように加工して使用することも考えられる。この場合自動的に泡の層は形成されないが、小用時の水面にあたる水圧でブクブクと泡が発達していくことで、水はね等防止の効果が増していくのである。
【００３２】トイレの便器の大きさは様々なので、トイレため水の量や水面の大きさも様々である。約２リットルが平均的な水の量だと言われている。節水型の便器の場合の水の量は１リットル前後である。その場合は本発明品を一つだけ投入する、旧式で大きな便器の場合は水の量が多いこともあり、その場合は本発明品を１〜３つくらいを投入する、という様に適宜調節することが望ましい。
本発明品はトイレ便器に付属させた装置またはトイレ便器に内蔵させた装置ではなく、携帯可能なので自宅だけでなく外出先のトイレにおいても使用できる。手でつまめるサイズ、重さで、ワンアクションで直接手でポイッと放り込むだけである。
【００３３】以上で記載した素材や物質などは項目ごとだけに限らず、適宜複数組み合わせて用いることも想定している。
本発明は以上のような構造である。
【図面の簡単な説明】
【００３４】
【図１】人が排泄前に本発明品をトイレため水に直接手でポイっと投入する場面の図。本発明品は水に触れると化学反応を起こし、数秒でブクブクと泡の層を形成し始める。水の量に応じて１つから３つくらいを投入する。
【図２】水面上に泡の層ができた図。本発明品を投入後、水面上に約１〜１０センチくらいの厚さの泡の層ができる。または図２は水溶性素材が浮遊した図である。
【図３】泡の層に向けて排泄をしている図。排泄物が水面に当たる圧力に応じて泡の層がブクブクとより発達していく。泡の層が大きくなるにつれ、水はね防止等の効果が高まる。
【図４】仮に、本発明品を使用せずに用を足した場合の図。飛沫は床、壁、身体等など便器外に飛び散る。
【符号の説明】
【００３５】１  本発明品を投入する手
２  本発明品
３  化学反応を起こし泡の層を形成し始める泡
４  トイレため水
５  便器の断面図
６  泡の層または浮遊している水溶性素材
７  尿
８  泡の層または浮遊している水溶性素材によって抑制される飛沫
９  便器外に飛び散る飛沫
【図１】
2020020250.tif 000003
【図２】
2020020250.tif 000004
【図３】
2020020250.tif 000005
【図４】
2020020250.tif 000006